(57)【要約】【課題】  メニュー画面で未装着の外部（オプション）装置を用いた印刷機能の設定操作が行われたことに対応して、当該外部装置に関する情報を出力するようにした印刷装置およびその制御方法を提供する。【解決手段】  表示部２２ｂに表示されたメニュー画面でオプション装置を用いた印刷機能の設定操作が行われると、プリンタ２０は当該オプション装置の接続を確認し、当該オプション装置が未装着の場合には、その設定が行えない旨を表示部２２ｂに表示するとともに、当該オプション装置に関する情報（オプション装置情報）を印刷出力する。【選択図】  図１
2007050654.tif 000002
【特許請求の範囲】
【請求項１】
１または複数の外部装置の装着が可能であり、前記外部装置を用いた印刷機能の設定操作を行うためのメニュー画面を表示する表示器を有する印刷装置において、
ユーザ操作に応じて前記表示器にメニュー画面を表示する表示制御手段と、
前記外部装置の接続を確認する接続確認手段と、
前記外部装置に対応した外部装置情報を記憶する外部情報記憶手段と、
前記表示器に表示されたメニュー画面で前記外部装置を用いた印刷機能の設定操作が行われると、前記接続確認手段に当該外部装置の接続を確認し、当該外部装置が未装着の場合には、前記外部情報記憶手段から当該外部装置に対応する前記外部装置情報を取得する制御手段と、
前記制御手段で取得した前記外部装置情報を出力する出力手段と
を具備することを特徴とする印刷装置。
【請求項２】
前記出力手段は、
前記印刷装置による印刷出力、前記表示器による表示、上位装置への通知の少なくとも１つを実行する
ことを特徴とする請求項１記載の印刷装置。
【請求項３】
前記外部装置情報は、
外部装置名、型番、図等の製品情報、外部装置装着によるメリット情報の少なくとも１つを含む
ことを特徴とする請求項１記載の印刷装置。
【請求項４】
前記表示制御手段は、
前記外部装置が未装着の場合には、当該外部装置を用いた印刷機能の設定操作を行うためのメニュー画面を非表示にする
ことを特徴とする請求項１記載の印刷装置。
【請求項５】
前記出力手段は、
前記表示制御手段により非表示にされたメニュー画面の一覧を出力する
ことを特徴とする請求項４記載の印刷装置。
【請求項６】
任意の見積もり依頼書または発注書のフォーマットを記憶するフォーマット記憶手段
を更に具備し、
前記出力手段は、
前記外部装置情報に前記フォーマットを合成した見積もり依頼書または発注書を出力する
ことを特徴とする請求項２記載の印刷装置。
【請求項７】
１または複数の外部装置の装着が可能であり、前記外部装置を用いた印刷機能の設定操作を行うためのメニュー画面を表示する表示器を有する印刷装置の制御方法において、
ユーザ操作に応じて前記表示器にメニュー画面を表示制御手段で表示し、
前記外部装置の接続を接続確認手段で確認し、
前記外部装置に対応した外部装置情報を外部情報記憶手段で記憶し、
前記表示器に表示されたメニュー画面で前記外部装置を用いた印刷機能の設定操作が行われると、制御手段は、前記接続確認手段に当該外部装置の接続を確認し、当該外部装置が未装着の場合には、前記外部情報記憶手段から当該外部装置に対応する前記外部装置情報を取得し、
前記制御手段で取得した前記外部装置情報の出力を、印刷手段による印刷出力、前記表示器による表示、上位装置への通知の少なくとも１つにより実行する
ことを特徴とする印刷装置の制御方法。
【発明の詳細な説明】
【技術分野】
【０００１】
本発明は、１または複数の外部装置の装着が可能であり、前記外部装置を用いた印刷機能の設定操作を行うためのメニュー画面を表示する表示器を有する印刷装置およびその制御方法に係わり、詳しくは、メニュー画面で未装着の外部（オプション）装置を用いた印刷機能の設定操作が行われたことに対応して、当該外部装置に関する情報を出力するようにした印刷装置およびその制御方法に関する。
【背景技術】
【０００２】
一般的に、プリンタ、ファックス、コピー機、および複合機などの印刷装置においては、増設トレイや両面印刷ユニットあるいは、フィニッシャなどの様々なオプション装置（外部装置）がユーザニーズに合わせて用意されている。
【０００３】
そして、このように用意されたオプション装置を装着することで、その印刷装置において利用できる印刷機能を拡張させることができる。例えば、両面印刷ユニットを装着した場合には、両面印刷機能が実現されることになる。
【０００４】
従来、このオプション装置に関する技術として、特許文献１に記載されたものが知られている。
【０００５】
この特許文献１には、電源投入後、オプション装置の接続を認識した場合には、そのオプション装置を用いて印刷を行うように自動で設定する技術や、操作パネル上に表示し、オプション装置を用いて印刷を行うように設定するか否かをユーザに選択させるという技術について言及されている。
【０００６】
また従来、オプション装置に関する操作パネル上のメニュー機能として、大きく２通りの技術が知られていた。具体的には、オプション装置が未装着の場合には、当該オプション装置を用いた印刷機能の設定操作を行うためのメニュー画面の表示を全く行わない方法と、オプション装置の装着状況にかかわらず、オプション装置を用いた印刷機能の設定操作を行うためのメニュー画面を表示し、選択された場合には、オプション装置の装着が必要な旨の表示を行う方法とがあった。
【特許文献１】特開２０００−１１８１０１号
【発明の開示】
【発明が解決しようとする課題】
【０００７】
前述した通り、オプション装置の装着時に、オプション装置の接続を認識する技術や、オプション装置が接続されたことを操作パネルに表示し、ユーザに認識させるといった技術は、従来より提案されていた。
【０００８】
しかし、前述したメニュー機能では、その製品にどのようなオプション装置が用意されているのか、あるいはオプション装置を接続することでどのような機能が実現されるのかといった情報は、提供されず、カタログや説明書等を見て把握するしか方法がなかった。
【０００９】
そのため、所望する機能がオプション装置を装着することにより実現される場合であっても、それに気付き難く、オプション装置が有効に利用されていなかった。したがって、ユーザにとっても印刷装置を提供するメーカ側にとっても好ましくない状況であった。
【００１０】
そこで、本発明は上記実情に鑑みてなされたものであり、メニュー画面で未装着の外部（オプション）装置を用いた印刷機能の設定操作が行われたことに対応して、当該外部装置に関する情報を出力するようにした印刷装置およびその制御方法を提供することを目的とする。
【課題を解決するための手段】
【００１１】
上記目的を達成するため、請求項１の発明は、１または複数の外部装置の装着が可能であり、前記外部装置を用いた印刷機能の設定操作を行うためのメニュー画面を表示する表示器を有する印刷装置において、ユーザ操作に応じて前記表示器にメニュー画面を表示する表示制御手段と、前記外部装置の接続を確認する接続確認手段と、前記外部装置に対応した外部装置情報を記憶する外部情報記憶手段と、前記表示器に表示されたメニュー画面で前記外部装置を用いた印刷機能の設定操作が行われると、前記接続確認手段に当該外部装置の接続を確認し、当該外部装置が未装着の場合には、前記外部情報記憶手段から当該外部装置に対応する前記外部装置情報を取得する制御手段と、前記制御手段で取得した前記外部装置情報を出力する出力手段とを具備することを特徴とする。
【００１２】
また、請求項２の発明は、請求項１の発明において、前記出力手段は、前記印刷装置による印刷出力、前記表示器による表示、上位装置への通知の少なくとも１つを実行することを特徴とする。
【００１３】
また、請求項３の発明は、請求項１の発明において、前記外部装置情報は、外部装置名、型番、図等の製品情報、外部装置装着によるメリット情報の少なくとも１つを含むことを特徴とする。
【００１４】
また、請求項４の発明は、請求項１の発明において、前記表示制御手段は、前記外部装置が未装着の場合には、当該外部装置を用いた印刷機能の設定操作を行うためのメニュー画面を非表示にすることを特徴とする。
【００１５】
また、請求項５の発明は、請求項４の発明において、前記出力手段は、前記表示制御手段により非表示にされたメニュー画面の一覧を出力することを特徴とする。
【００１６】
また、請求項６の発明は、請求項２の発明において、任意の見積もり依頼書または発注書のフォーマットを記憶するフォーマット記憶手段を更に具備し、前記出力手段は、前記外部装置情報に前記フォーマットを合成した見積もり依頼書または発注書を出力することを特徴とする。
【００１７】
また、請求項７の発明は、１または複数の外部装置の装着が可能であり、前記外部装置を用いた印刷機能の設定操作を行うためのメニュー画面を表示する表示器を有する印刷装置の制御方法において、ユーザ操作に応じて前記表示器にメニュー画面を表示制御手段で表示し、前記外部装置の接続を接続確認手段で確認し、前記外部装置に対応した外部装置情報を外部情報記憶手段で記憶し、前記表示器に表示されたメニュー画面で前記外部装置を用いた印刷機能の設定操作が行われると、制御手段は、前記接続確認手段に当該外部装置の接続を確認し、当該外部装置が未装着の場合には、前記外部情報記憶手段から当該外部装置に対応する前記外部装置情報を取得し、前記制御手段で取得した前記外部装置情報の出力を、印刷手段による印刷出力、前記表示器による表示、上位装置への通知の少なくとも１つにより実行することを特徴とする。
【発明の効果】
【００１８】
本発明によれば、表示器に表示されたメニュー画面で外部装置を用いた印刷機能の設定操作が行われると、当該外部装置の接続を確認し、当該外部装置が未装着の場合には、当該外部装置に対応する外部装置情報を出力するように構成したため、カタログや説明書等を見なくても、どのような外部装置が用意されているのか、また外部装置を接続することでどのような機能が実現されるのかといった情報を容易に把握することができる。
【００１９】
これにより、ユーザにとっては利便性が高まり、また外部装置を提供するメーカ側にとっては外部装置の購買の促進が図れることになる。
【発明を実施するための最良の形態】
【００２０】
以下、この発明に係わる印刷装置およびその制御方法の実施例について添付図面を参照して詳細に説明する。
【実施例１】
【００２１】
図１は、本発明に係わる印刷装置を適用したプリンタ２０を配して構成した印刷システムの全体構成を示す図である。
【００２２】
この印刷システムは、上位装置１０と、プリンタ２０とを具備して構成され、この上位装置１０とプリンタ２０とは、ＬＡＮ（Local Area Network）、ＷＡＮ（Wide Area Network）等のネットワークあるいは、セントロニクス、ＵＳＢ（Universal Serial Bus）等により相互通信可能に接続されている。
【００２３】
プリンタ２０は、図示しないパーソナルコンピュータ等から印刷依頼を受信し、かかる依頼に基づいて印刷処理を行う。また、プリンタ２０には、増設トレイや両面印刷ユニットあるいは、フィニッシャなどの各種オプション装置の装着が可能であり、このようなオプション装置を装着した場合には、プリンタ２０の機能を拡張させることができる。例えば、両面印刷ユニットをオプション装置として装着した場合には、両面印刷機能が実現されることになる。
【００２４】
プリンタ２０本体には、ユーザとのインターフェースの役割を果たす操作パネル２２が設けられ、ユーザは、この操作パネル２２を介してプリンタ２０に各種ユーザ指示を入力することができる。
【００２５】
この操作パネル２２には、ＬＣＤ（Liquid Crystal Display）などで構成された表示部２２ｂと、操作ボタン（上下左右矢印キー、設定完了ボタン等）などの入力部２２ａとが設けられており、入力部２２ａに配されるメニューボタン（不図示）を押下すると、表示部２２ｂにメニュー画面が表示され、メニュー操作が開始される。すなわち、メニューボタン押下によりメニューモードへ移行することができる。
【００２６】
メニューモードでは、上下キー（あるいはテンキー）等を押下することで、基本設定メニューや、用紙設定メニューあるいは、拡張機能設定メニューなどの各種メニュー画面に移動することができ、さらにメニュー画面に移動後、その下位層にあたるメニュー項目に移動して、各種設定値の設定変更が行える。例えば、用紙設定メニューには下位層のメニュー項目として、用紙種別設定や、用紙サイズ設定…等が用意されており、この用紙サイズ設定に移動した場合には、Ａ３やＡ４、あるいはＢ５とかといった用紙サイズの設定変更が行える。
【００２７】
さて、このメニューモードにて、拡張機能設定メニューに移動した場合には、オプション装置を用いた印刷を行うための各種設定が行える。但し、かかる設定を行うためには、オプション装置が装着されている必要がある。例えば、拡張機能設定メニューで認証印刷の設定を行う場合には、その機能を実現するためにオプション装置としてハードディスクが装着されている必要がある。
【００２８】
ここで、プリンタ２０において、必要なオプション装置が装着されていないにも拘わらず、この拡張機能設定メニューにて当該オプション装置を用いた印刷機能の設定操作が行われ、その設定の決定を意味する設定完了が入力部２２ａから指示された場合には、表示部２２ｂにその設定が行えない理由が表示され、必要なオプション装置に関する情報（オプション装置情報）が印刷出力されることになる。
【００２９】
具体的には、ハードディスクが未装着であって認証印刷に関する設定が行えないにも拘わらず、認証印刷の設定が行われその完了が指示されると、表示部２２ｂに認証印刷が行えない理由が表示されるとともに、ハードディスクに関する情報が印刷出力されることとなる。
【００３０】
なお、本実施例においては、メニュー画面にてオプション装置を用いた印刷機能の設定操作が行われ、その設定の決定を意味する設定完了が指示されたことをトリガーとしてオプション装置情報を印刷出力する場合を説明するが、このオプション装置情報の印刷出力タイミングは、設定完了が指示された時点ではなく、当該メニュー画面にて設定操作が開始された時点であってもよい。
【００３１】
ここで、図２および図３を用いて、このメニュー画面の表示態様と、印刷出力されるオプション装置情報の一例を説明する。なお、ここでは、ハードディスクが未装着のために、認証印刷に関する設定が行えないものとして説明する。
【００３２】
まず、ユーザは、図２に示すようなメニュー画面を起動し、メニュー操作を開始する。メニュー起動後、拡張機能設定メニュー（カクチョウキノウ）へ移動し、そのメニュー項目として認証印刷（ニンショウインサツ）が選択ならびに設定されたとする。
【００３３】
しかし、オプション装置としてハードディスクが装着されていないため、認証印刷の設定が行えない旨（コノキノウヲシヨウスルタメニハハードディスクガヒツヨウデス）が表示されるとともに、そのオプション装置に関する情報の印刷出力中である旨（オプションソウチジョウホウシュツリョクチュウ）が表示される。
【００３４】
そして、図３に示すようなオプション装置情報が印刷出力されることとなる。このオプション装置情報には、製品名、型番、標準価格、図の他、オプション装着によるメリット等が示される。これにより、ユーザは、ある機能を実現するために必要なオプション装置が何であるかといった情報や、そのオプション装置に関する情報を容易に得ることができる。
【００３５】
図１に戻り、上述したプリンタ２０に接続された上位装置１０では、プリンタ２０の管理が行える。例えば、最新のオプション装置情報をプリンタ２０へ送信し、プリンタ２０内に記憶されたオプション装置情報の更新を行う。また、任意の見積もり依頼書や、発注書のフォーマットをプリンタ２０に送信し、登録することができる。
【００３６】
プリンタ２０では、この見積もり依頼書等のフォーマットを利用することにより、図４に示すような見積もり依頼書を印刷出力することができる。この見積もり依頼書を、上述したオプション装置情報に続けて印刷出力することで、購入手続きの簡略化を図ることができる。
【００３７】
なお、この見積もり依頼書や、発注書およびオプション装置情報は、入力部２２ａからの操作によりユーザ任意のタイミングで印刷出力することもできる。
【００３８】
ここで、図５を用いて、図１に示したプリンタ２０の内部構成の一部について説明する。なお、上記図１と同一のものには同一の符号を付してある。
【００３９】
プリンタ２０は、各種処理機能部として、通信Ｉ／Ｆ（Interface）部２１と、操作パネル２２と、メニュー処理部２３と、オプション接続確認部２４と、オプション情報検索部２５と、オプション情報記憶部２６と、フォーマット情報記憶部２７と、印刷制御部２８と、印刷部２９とを具備して構成される。
【００４０】
通信Ｉ／Ｆ２１は、プリンタ２０と上位装置１０とを接続する通信インターフェースの役割を果たす。また、操作パネル２２は、先に述べた通り、ユーザとのインターフェースの役割を果たし、表示部２２ｂおよび入力部２２ａを具備して構成される。メニュー処理部２３は、メニュー処理に係わる制御全般を行い、メニュー画面の表示制御を行うメニュー表示制御部２３ｂを具備して構成される。
【００４１】
オプション接続確認部２４は、オプション装置の接続を確認し装着有無を検出する役割を果たす。オプション情報記憶部２６には、プリンタ２０に装着可能なオプション装置に関する情報（オプション装置情報）、例えば、製品名、型番、図等の製品情報や、オプション装着によるメリット等が記憶され、オプション情報検索部２５は、このオプション情報記憶部２６に記憶されたオプション装置情報の中から条件に合うものを検索し読み出す。
【００４２】
フォーマット情報記憶部２７は、見積もり依頼書や、発注書のフォーマット（フォーマット情報）等を記憶する。先に述べた通り、このフォーマット情報は上位装置１０から登録でき、見積先や発注先に応じて任意のフォーマットを記憶しておくことができる。
【００４３】
印刷部２９は、実際に用紙（媒体）などに画像を形成する機構であり、印刷制御部２８は、この印刷部２９を動作制御して印刷処理を行う。例えば、見積もり依頼書を印刷する場合には、印刷制御部２８において、その見積もり対象となるオプション装置情報と、フォーマット情報記憶部２７に記憶されたフォーマットとを合成し、それを印刷部２９から印刷出力することになる。以上がプリンタ２０の内部構成の一部を示す各機能ブロックの説明である。
【００４４】
図６は、図１に示したプリンタ２０の動作を説明するフローチャートである。なお、ここでは、メニュー画面移動操作時の動作について説明する。
【００４５】
まず、ユーザにより、入力部２２ａに配されるメニューボタン（不図示）が押下され、メニュー画面が起動されると（ステップＳ１０１）、この処理は開始される。
【００４６】
メニューモードへ移行すると、メニュー表示制御部２３ｂにより、メニュー画面が表示部２２ｂに表示され、ユーザは上下キー等を押下することで、所望のメニュー項目へ移動することとなる（ステップＳ１０２）。
【００４７】
そして、メニュー項目にて設定操作が行われ、その設定の決定を意味する設定完了がユーザに指示されると（ステップＳ１０３）、メニュー処理部２３において、当該設定操作に対応する印刷機能の設定を行うためには、オプション装置の装着が必要であるか否かを判断する（ステップＳ１０４）。すなわち、オプション装置の装着有無に関係する設定操作であるか否かを判断する。
【００４８】
この判断の結果、オプション装置の装着が必要でない場合には（ステップＳ１０４でＮＯ）、上記ステップＳ１０３でなされた設定操作に対応する設定値を反映し（ステップＳ１０６）、この処理を終了するが一方、オプション装置の装着が必要である場合には（ステップＳ１０４でＹＥＳ）、オプション接続確認部２４で当該オプション装置の接続を確認し、装着済みであるか否かを判断する（ステップＳ１０５）。
【００４９】
この判断の結果、必要なオプション装置が装着済みである場合には（ステップＳ１０５でＹＥＳ）、上記ステップＳ１０３でなされた設定操作に対応する設定値を反映し（ステップＳ１０６）、この処理を終了するが一方、必要なオプション装置が未装着である場合には（ステップＳ１０５でＮＯ）、メニュー表示制御部２３ｂにより、設定値を反映させることができない旨と、その理由とが表示部２２ｂに表示される（ステップＳ１０７）。
【００５０】
この表示とともにオプション情報検索部２５は、オプション情報記憶部２６に記憶されたオプション装置情報の中から該当するオプション装置情報を検索し読み出す（ステップＳ１０８）。
【００５１】
これを受けて印刷制御部２８は、当該オプション装置情報を印刷部２９から印刷出力させる（ステップＳ１０９）。すなわち、上記図３で説明したオプション装置情報が印刷出力されることとなる。なお、このオプション装置情報の印刷出力とともに、上述した見積もり依頼書等を印刷出力するようにしてもよい。これは、プリンタ２０の動作設定により出力有無の調整が行える。
【００５２】
以上説明したように本発明においては、表示部２２ｂに表示されたメニュー画面でオプション装置を用いた印刷機能の設定操作の完了が指示されると、当該オプション装置の接続を確認し、当該オプション装置が未装着の場合には、当該オプション装置に対応するオプション装置情報を印刷出力するように構成したため、カタログや説明書等を見なくても、どのようなオプション装置が用意されているのか、またオプション装置を接続することでどのような機能が実現されるのかといった情報を容易に把握することができる。
【００５３】
これにより、ユーザにとっては利便性が高まり、またオプション装置を提供するメーカ側にとってはオプション装置の購買の促進が図れることになる。
【実施例２】
【００５４】
次に、実施例２について説明する。実施例２においては、オプション装置が未装着のため当該オプション装置を用いた印刷機能の設定操作が行えない、すなわち、必要なオプション装置が装着されていない場合に、対応するメニュー画面を非表示にし、また、非表示にしたメニュー画面を一覧にした非表示メニュー一覧を印刷出力する場合の動作について説明する。なお、実施例２の全体構成、プリンタ２０の内部構成は上記実施例１の図１および図５で説明したものと同一であるため、その説明は省略し、ここでは、実施例１との相違点についてのみ説明する。
【００５５】
まず、図７を用いて、オプション必要メニュー表示／非表示設定操作の手順について説明する。同図上側にはオプション必要メニュー表示設定時のメニュー表示の一例が、同図下側にはオプション必要メニュー非表示設定時のメニュー表示の一例が示される。
【００５６】
最初に、オプション必要メニュー表示設定操作の手順について説明する。まず、ユーザは、図７上側に示すようなメニュー画面を起動し、メニュー操作を開始する。そして、基本設定メニュー（キホンセッテイ）へ移動し、さらにその下位層にあたるオプション必要メニュー（オプションヒツヨウメニュー）を選択し移動する。
【００５７】
オプション必要設定メニューへ移動すると、そのメニュー項目として未装着時表示（ミソウチャクジヒョウジ）の設定で「スル（表示を行う）」を選択する。これにより、オプション装置の装着有無に拘わらずメニュー画面が表示されることになる。この場合、プリンタ２０におけるメニュー表示は、上述した実施例１と同様である。
【００５８】
一方、図７下側に示すように、オプション必要設定メニューにて、未装着時表示の設定で「シナイ（表示しない）」を選択すると、オプション装置が未装着のために、印刷機能の設定操作が行えないメニュー画面が非表示となる。
【００５９】
この後者にあたる非表示設定時には、図８に示すように、基本設定メニュー（キホンセッテイ）へ移動し、そのメニュー項目にあたる非表示メニュー印刷（ヒヒョウジメニューインサツ）を選択することで、図９に示すような非表示メニューの一覧を印刷出力できる。同図には、拡張機能設定メニューのメニュー項目である認証印刷が非表示となっている場合が示されている。
【００６０】
図１０は、オプション必要メニュー非表示設定時のメニュー画面の表示態様を示す図である。同図上側にはメニュー構成の一例が、同図下側にはメニュー表示の一例が示される。
【００６１】
まず、同図上側に示されるメニュー構成の一例には、メニュー項目の名称と、そのメニュー項目が属する上位層のメニュー画面の名称と、そのメニュー項目にて必要なオプション装置の名称と、そのオプション装置の装着有無とが示される。例えば、認証印刷設定では、必要なオプション装置がハードディスクであり、ハードディスクが装着済みである旨が示されている。
【００６２】
ここで、このようなメニュー構成を有する場合の、メニュー画面の表示態様（遷移）について説明する。なお、このメニュー構成において、必要なオプション装置が全て装着済みである場合には、認証印刷設定表示中に、下ボタン（十字キー）を連続して押下した場合には、認証印刷設定、両面印刷設定、高速ソート印刷設定、Ｚ折り印刷設定、用紙種別設定の順に移動し、用紙種別設定表示中に、上ボタン（十字キー）を連続して押下した場合には、その逆の順番に移動することとなる。
【００６３】
このような構成の下、認証印刷設定表示中に、下ボタン連続して押下した場合には、同図下側に示すように、認証印刷設定（ニンショウインサツ）、高速ソート印刷設定（コウソクソートインサツ）、用紙種別設定（ヨウシシュベツ）の順に移動することとなる。
【００６４】
すなわち、両面印刷設定と、Ｚ折り印刷設定とが飛ばされて表示される。これは、両面印刷に必要な両面印刷ユニットと、Ｚ折り印刷に必要なフィニッシャとがオプション装置として接続されていないためである。
【００６５】
以上説明したように実施例２においては、実施例１の構成に加えて、オプション必要メニューの表示／非表示設定を設け、オプション必要メニューを非表示にした場合には、不要なメニュー表示が行われないため、メニューでの操作性が向上することになる。
【００６６】
また、非表示メニューの一覧を印刷出力できるようにしたため、非表示となっているメニュー項目に気付き難くなるといった問題にも対応できる。
【００６７】
なお、上記実施例１および上記実施例２においては、プリンタ２０の表示部２２ｂが、文字ベースである場合を説明したが、この表示部２２ｂはメニュー画面の表示が行えればよく、グラフィックベースの表示が行えるものであってもかまわない。
【００６８】
また、上記実施例１および上記実施例２においては、本発明に係わる印刷装置をプリンタ２０に適用し、本発明を実施する場合を説明したが、これに限られることなく、ファックス、コピー機、複合機など、印刷機能を有する印刷装置全般に適用可能である。
【００６９】
また、上記実施例１および上記実施例２においては、オプション装置情報、見積もり依頼書、発注書等を印刷出力する場合を説明したが、これらを印刷以外の方法で出力するようにしてもよい。具体的には、オプション装置情報、見積もり依頼書、発注書等を、表示部２２ｂへ表示（出力）するようにしてもよいし、管理者へ電子メールで送信（出力）するようにしてもよいし、また上位装置１０へ表示（出力）するようにしてもよい。
【００７０】
この他、本発明は、上記および図面に示す実施例に限定することなく、その要旨を変更しない範囲内で適宜変形して実施できるものである。
【産業上の利用可能性】
【００７１】
本発明の印刷装置およびその制御方法は、外部装置の装着が可能なプリンタ、ファックス、コピー機、複合機などの印刷装置全般に適用可能であり、特に、カタログや説明書等を見なくても、どのような外部装置が用意されているのか、また外部装置を接続することでどのような機能が実現されるのかといった情報を容易に把握することができる。
【図面の簡単な説明】
【００７２】
【図１】本発明に係わる印刷装置を適用したプリンタ２０を配して構成した印刷システムの全体構成を示す図である。
【図２】表示部２２ｂに表示されるメニュー画面の表示態様の一例を示す図である。
【図３】オプション装置情報の印刷出力結果の一例を示す図である。
【図４】見積もり依頼書の印刷出力結果の一例を示す図である。
【図５】図１に示したプリンタ２０の内部構成の一部を示す図である。
【図６】図１に示したプリンタ２０の動作を説明するフローチャートである。
【図７】表示部２２ｂに表示されるメニュー画面の表示態様の一例を示す図である（オプション必要メニュー表示／非表示設定操作時）。
【図８】表示部２２ｂに表示されるメニュー画面の表示態様の一例を示す図である（非表示メニューの一覧印刷出力時）。
【図９】非表示メニュー一覧の印刷出力結果の一例を示す図である。
【図１０】表示部２２ｂに表示されるメニュー画面の表示態様の一例を示す図である（オプション必要メニュ非表示設定時）。
【符号の説明】
【００７３】
１０    上位装置
２０    プリンタ
２１    通信Ｉ／Ｆ（Interface）
２２    操作パネル
２２ａ    入力部
２２ｂ    表示部
２３    メニュー処理部
２３ｂ    メニュー表示制御部
２４    オプション接続確認部
２５    オプション情報検索部
２６    オプション情報記憶部
２７    フォーマット情報記憶部
２８    印刷制御部
２９    印刷部
【図１】
2007050654.tif 000003
【図２】
2007050654.tif 000004
【図３】
2007050654.tif 000005
【図４】
2007050654.tif 000006
【図５】
2007050654.tif 000007
【図６】
2007050654.tif 000008
【図７】
2007050654.tif 000009
【図８】
2007050654.tif 000010
【図９】
2007050654.tif 000011
【図１０】
2007050654.tif 000012